(57)【要約】      （修正有）【課題】複数の入力映像信号中から有効なものを自動で判断して選択切換する。【解決手段】投影装置に供給する映像信号を出力する投影制御装置であって、複数の映像信号源からの映像信号を入力する映像入力手段と、上記映像入力手段で入力した上記複数の映像信号の変化を検出する映像変化検出手段と、上記映像変化検出手段で変化を検出した映像信号を選択する選択手段と、上記選択手段で選択した映像信号を上記投影装置に出力する映像出力手段とを備える。【選択図】図２
2014187533.tif 000002
【特許請求の範囲】
【請求項１】
投影装置に供給する映像信号を出力する投影制御装置であって、
複数の映像信号源からの映像信号を入力する映像入力手段と、
上記映像入力手段で入力した上記複数の映像信号の変化を検出する映像変化検出手段と、
上記映像変化検出手段で変化を検出した映像信号を選択する選択手段と、
上記選択手段で選択した映像信号を上記投影装置に出力する映像出力手段と
を備えることを特徴とする投影制御装置。
【請求項２】
上記複数の映像信号源からの映像信号は、プレゼンテーション用の映像信号であることを特徴とする請求項１記載の投影制御装置。
【請求項３】
上記映像変化検出手段は、上記選択手段で選択していない映像信号の変化を検出することを特徴とする請求項１または２記載の映像制御装置。
【請求項４】
複数の音声信号を入力する音声入力手段と、
上記音声入力手段で入力した上記複数の音声信号の変化を検出する音声変化検出手段とをさらに備え、
上記選択手段は、上記音声変化検出手段で変化を検出した音声信号と対応付けられている映像信号を選択する
ことを特徴とする請求項１乃至３いずれか記載の投影制御装置。
【請求項５】
複数の映像信号源から映像信号と対応付けた音声信号を入力する音声入力手段と、
音声信号を出力する音声出力手段と
をさらに備え、
上記選択手段は、上記映像変化検出手段で変化を検出した音声信号と対応付けられている音声信号を選択して上記音声出力手段で出力させる
ことを特徴とする請求項１乃至４いずれか記載の投影制御装置。
【請求項６】
上記映像入力手段で入力した上記複数の映像信号を少なくとも予め設定した時間分だけ循環的に更新しながら記憶する記憶手段をさらに備え、
上記出力手段は、上記選択手段で選択した映像信号を上記記憶手段から読出して出力させる
ことを特徴とする請求項１乃至５いずれか記載の投影制御装置。
【請求項７】
上記映像変化検出手段は、上記映像入力手段で入力した上記複数の映像信号の一部の情報に基づいて変化を検出することを特徴とする請求項１乃至６いずれか記載の投影制御装置。
【請求項８】
上記映像変化検出手段は、上記映像入力手段で入力した上記複数の映像信号の一部に特定の情報があるか否かを検出し、
上記選択手段は、上記映像変化検出手段により特定の情報が検出された場合は、上記一部以外に変化が検出されたとしても、上記映像信号を選択しない
ことを特徴とする請求項１乃至７いずれか記載の投影制御装置。
【請求項９】
複数の映像信号源からの映像信号を入力する映像入力手段と、
上記映像入力手段で入力した上記複数の映像信号の変化を検出する映像変化検出手段と、
上記映像変化検出手段で変化を検出した映像信号を選択する選択手段と、
上記選択手段で選択した映像信号を投影する投影手段と
を備えることを特徴とする投影装置。
【請求項１０】
映像信号を出力する映像出力装置であって、
上記映像信号が変化する際に、信号の変化を通知するための映像切換信号を出力する変化通知手段を備えることを特徴とする映像出力装置。
【請求項１１】
上記映像切換信号を上記映像信号に重畳する重畳手段をさらに備え、
上記変化通知手段は、上記映像切換信号を重畳した上記映像信号により映像信号の変化を通知する
ことを特徴とする請求項１０記載の映像出力装置。
【請求項１２】
上記重畳手段は、上記映像切換信号を上記映像信号の有効映像信号期間外に重畳することを特徴とする請求項１１記載の映像出力装置。
【請求項１３】
上記変化通知手段は、上記映像切換信号を上記映像信号と別系統の信号により出力することを特徴とする請求項１０記載の映像出力装置。
【請求項１４】
それぞれ映像信号を出力する複数の映像出力装置と、上記複数の映像出力装置が出力する複数の映像信号から１つを選択して投影装置に出力する投影制御装置とを含んだ投影制御システムであって、
上記複数の映像出力装置はそれぞれ、
上記映像信号が変化する際に、信号の変化を通知するための映像切換信号を出力する変化通知手段を備え、
上記投影制御装置は、
複数の映像信号源からの映像信号を入力する映像入力手段と、
上記映像切換信号を受信する通知受信手段と、
上記通知受信手段で受信した映像切換信号に対応する映像信号を選択する選択手段と、
上記選択手段で選択した映像信号を出力する映像出力手段と
を備える
ことを特徴とする投影制御システム。
【発明の詳細な説明】
【技術分野】
【０００１】
本発明は、パーソナルコンピュータを用いたプレゼンテーション等に好適な投影制御装置、投影装置、映像出力装置及び投影制御システムに関する。
【背景技術】
【０００２】
映像信号の有無を検出する処理や、入力端子を切り替える処理を効率的に実行することでこれらの時間を短縮すると共に、入力端子の接続状態に変化があった場合は処理対象を動的に変更することができるプロジェクタ及びその制御方法が提案されている。（例えば、特許文献１）
【先行技術文献】
【特許文献】
【０００３】
【特許文献１】特開２０１１−１１８０１４号公報
【発明の概要】
【発明が解決しようとする課題】
【０００４】
上記した特許文献では、入力端子のカバーの有無やプロジェクタの電源投入操作、映像信号の入力の有無等に応じて映像入力端子の使用可能状態を検出するものとしている。
【０００５】
したがって、例えば２系統のパーソナルコンピュータを接続してそれぞれでプレゼンテーション用のプログラムを実行するような場合では、両入力端子が共にアクティブな状態であるため、装置側でプレゼンテーションの内容に応じてそれら入力のいずれが有効であるかを判断することはできず、ユーザが手動で入力切換を行なうことになる。
【０００６】
また、１台のパーソナルコンピュータを接続してそれぞれで異なるプレゼンテーション用のアプリケーション（例えば、概略説明用、詳細説明用）を実行して切り換えるプレゼンテーションを行うような場合も、パーソナルコンピュータでのアプリケーションの切換動作が聴講者に見えるように投影されてしまうという不都合があった。
【０００７】
本発明は上記のような実情に鑑みてなされたもので、その目的とするところは、複数台の映像出力機器からそれぞれ送られてくる映像信号中から有効なものを自動で判断して選択切換することが可能な投影制御装置、投影装置、映像出力装置及び投影制御システムを提供することにある。
【課題を解決するための手段】
【０００８】
本発明の一態様は、投影装置に供給する映像信号を出力する投影制御装置であって、複数の映像信号源からの映像信号を入力する映像入力手段と、上記映像入力手段で入力した上記複数の映像信号の変化を検出する映像変化検出手段と、上記映像変化検出手段で変化を検出した映像信号を選択する選択手段と、上記選択手段で選択した映像信号を上記投影装置に出力する映像出力手段とを備えることを特徴とする。
【発明の効果】
【０００９】
本発明によれば、複数台の映像出力機器からそれぞれ送られてくる映像信号中から有効なものを自動で判断して選択切換することが可能となる。
【図面の簡単な説明】
【００１０】
【図１】本発明の一実施形態に係る投影システム全体の設置環境を示す図。
【図２】同実施形態に係るプロジェクタの概略機能構成を示すブロック図。
【図３】同実施形態に係るプロジェクタでの複数映像入力に対する処理内容を示すフローチャート。
【図４】同実施形態に係る図３の非選択入力映像に対する変化検出処理のサブルーチンの内容を示すフローチャート。
【図５】本発明の他の実施形態に係る投影システム全体の設置環境を示す図。
【発明を実施するための形態】
【００１１】
以下本発明をＤＬＰ（登録商標）方式のプロジェクタ装置を含む投影システムでプレゼンテーションを行なう場合の一実施形態について図面を参照して説明する。  
図１は、上記投影システムの設置環境を示す。同図で１がプロジェクタ装置、２Ａ，２Ｂがそれぞれプロジェクタ１に投影する映像を提供するパーソナルコンピュータ（以下「ＰＣ」と称する）である。
【００１２】
プロジェクタ１とＰＣ２Ａは、映像信号用のＲＧＢケーブルＶＣ１及び音声信号用のオーディオケーブルＡＣ１で有線接続される。同様にプロジェクタ１とＰＣ２Ｂは、映像信号用のＲＧＢケーブルＶＣ２及び音声信号用のオーディオケーブルＡＣ２で有線接続される。プロジェクタ１は、これらＰＣ２Ａ，２Ｂから与えられる映像信号のいずれか選択した一方に応じた投影画像を随時スクリーンＳＣに投影する。
【００１３】
図２は、上記プロジェクタ１の概略機能構成を示すブロック図である。入力部１１は、例えばＤ−ｓｕｂ１５タイプのＲＧＢ入力端子、ピンジャック（ＲＣＡ）タイプのビデオ入力端子及び音声入力端子、などをそれぞれ複数、例えば２個ずつ備える。入力部１１に入力された各種規格の映像信号は、入力部１１で必要に応じてデジタル化された後に、システムバスＳＢを介して画像変換部１２に送られる。
【００１４】
画像変換部１２は、スケーラとも称され、入力される２系統の画像データをそれぞれ投影に適した所定のフォーマットの画像データに統一して投影処理部１３、及び後述するタイムシフト用メモリ２４へ送る。
【００１５】
投影処理部１３は、送られてきた画像データの一方を選択し、選択した画像データにしたがって、所定のフォーマットに従ったフレームレート、例えば１２０［フレーム／秒］と色成分の分割数、及び表示階調数を乗算した、より高速な時分割駆動によりマイクロミラー素子１４を表示するべく駆動する。
【００１６】
このマイクロミラー素子１４は、アレイ状に配列された複数、例えばＷＸＧＡ（Ｗｉｄｅ  ｅＸｔｅｎｄｅｄ  Ｇｒａｐｈｉｃ  Ａｒｒａｙ）（横１２８０画素×縦８００画素）分の微小ミラーの各傾斜角度を個々に高速でオン／オフ動作することで、その反射光により光像を形成する。
【００１７】
一方で、光源部１５から時分割でＲ，Ｇ，Ｂの原色光を含む複数色の光が循環的に時分割で順次出射される。この光源部１５からの光が、ミラー１６で全反射して上記マイクロミラー素子１４に照射される。  
そして、マイクロミラー素子１４での反射光で光像が形成され、形成された光像が投影レンズ部１７を介して、投影対象となる上記図１のスクリーンＳＣに投影される。
【００１８】
上記各回路の動作すべてをＣＰＵ１８が制御する。このＣＰＵ１８は、メインメモリ１９及びプログラムメモリ２０と直接接続される。メインメモリ１９は、例えばＳＲＡＭで構成され、ＣＰＵ１８のワークメモリとして機能する。プログラムメモリ２０は、電気的に書換可能な不揮発性メモリで構成され、ＣＰＵ１８が実行する動作プログラムや各種定型データ等を記憶する。ＣＰＵ１８は、上記メインメモリ１９及びプログラムメモリ２０を用いて、このプロジェクタ装置１０内の制御動作を統括して実行する。
【００１９】
上記ＣＰＵ１８は、操作部２１からのキー操作信号に応じて各種投影動作を実行する。  
この操作部２１は、プロジェクタ装置１０の本体に設けられるキー操作部と、このデータプロジェクタ装置１０専用の図示しないリモートコントローラからの赤外光を受光する赤外線受光部とを含み、ユーザが本体のキー操作部またはリモートコントローラで操作したキーに基づくキー操作信号をＣＰＵ１８へ直接出力する。
【００２０】
上記ＣＰＵ１８はさらに、上記システムバスＳＢを介して音声処理部２２、タイムシフト用メモリ２４とも接続される。音声処理部２２は、ＰＣＭ音源等の音源回路を備え、投影動作時に入力部１１から与えられる音声データをアナログ化し、スピーカ部２３を駆動して拡声放音させ、あるいは必要によりビープ音等を発生させる。
【００２１】
タイムシフト用メモリ２４は、上記画像変換部１２から送られてくる画像データ、及び入力部１１からの音声データを共に予め設定された時間分、例えば５秒間分だけ循環的に更新しながら記憶することで、常に直前の５秒間分の画像データと音声データとを保持するバッファメモリで、その内容は上記ＣＰＵ１８の制御の下に、上記投影処理部１３、音声処理部２２へ送られる。
【００２２】
なお、上記ＰＣ２Ａ，２Ｂそれぞれのハードウェア回路の構成に関しては、きわめて一般的な周知の技術であるものとして、その図示と説明とを省略する。これらＰＣ２Ａ，２Ｂにはいずれもアプリケーションとしてプレゼンテーションプログラムがインストールされ、同プログラム用に作成されたドキュメントファイル（プレゼンテーション用ファイル）を再生することができる。
【００２３】
次に上記実施形態の動作について説明する。  
図３は、プロジェクタ１のＣＰＵ１８がプログラムメモリ２０から読出した動作プログラムをメインメモリ１９に展開して実行する、２映像入力に対応した投影動作の処理内容を示すフローチャートである。
【００２４】
その当初にＣＰＵ１８は、投影動作を開始するなんらかのイベントがあるか否か、具体的には、例えば操作部２１のメニュー操作での入力切換により、２系統の映像信号の自動選択切換の指示があるか否か等、を繰返し判断することで、投影動作の開始が指示されるのを待機する（ステップＳ１０１）。
【００２５】
投影動作の開始が指示された場合、ＣＰＵ１８は上記ステップＳ１０１で当該指示を判断した後、予め設定されている初期の準備動作を実行した後（ステップＳ１０２）、入力部１１で少なくとも１系統の映像信号が入力されているか否かを判断する（ステップＳ１０３）。
【００２６】
ここで映像信号が１系統も入力していないと判断した場合には、プログラムメモリ２０に予め記憶しているデフォルトの画像データを読出して投影処理部１３へ送出した上で（ステップＳ１０４）、ＣＰＵ１８内部で映像信号の入力がない状態の計時を開始し、その計時値が一定、例えば６０［秒］となったか否かにより、タイムアウトとなったか否かを判断する（ステップＳ１０５）。
【００２７】
ここでまだタイムアウトとはなっていないと判断した場合、ＣＰＵ１８は再び上記ステップＳ１０３からの処理に戻る。
【００２８】
また上記ステップＳ１０３で映像信号の入力が少なくとも１系統あると判断した場合、ＣＰＵ１８は次に操作部２１によりユーザから入力端子の選択を指示する操作があったか否かを判断する（ステップＳ１０６）。
【００２９】
操作部２１での指示がなかったと判断した場合、どの入力映像を選択すべきかをＣＰＵ１８側では判断することができないため、ＣＰＵ１８は上記ステップＳ１０４に進んでデフォルト画像の投影に移行する。
【００３０】
また上記ステップＳ１０６で入力端子の選択を指示する操作があったと判断した場合、ＣＰＵ１８はその選択が指示された入力端子がＰＣ２Ａからの映像入力１であるか否かを判断する（ステップＳ１０７）。
【００３１】
ここでＰＣ２Ａからの入力１を選択する指示がなされたと判断した場合、ＣＰＵ１８は投影を行なう映像信号側を表す変数ｉに「１」を、投影しない映像信号側を表す変数ｊに「２」を設定する（ステップＳ１０８）。
【００３２】
また上記ステップＳ１０７で、ＰＣ２Ａからの入力１を選択する指示がなされていないと判断した場合、ＰＣ２Ｂからの入力２を選択する指示がなされたことになるので、ＣＰＵ１８は投影を行なう映像信号側を表す変数ｉに「２」を、投影しない映像信号側を表す変数ｊに「１」を設定する（ステップＳ１０９）。
【００３３】
上記ステップＳ１０８またはＳ１０９での設定後、ＣＰＵ１８はその時点の変数ｉに従い、ＰＣ２Ａまたは２Ｂからの映像信号を選択して投影処理部１３により上記マイクロミラー素子１４でその画像を表示させ、投影レンズ部１７からスクリーンＳＣに向けて投影させる（ステップＳ１１０）。
【００３４】
ここで、投影動作の停止を指示するイベント、例えば操作部２１の電源キー操作があったか否かを判断し（ステップＳ１１１）、ないと判断すると、次にその時点で選択していない側の入力ｊに変化があるか否かの検出処理を実行する（ステップＳ１１２）。
【００３５】
図４は、このステップＳ１１２のサブルーチンの処理内容を示すフローチャートであり、ＣＰＵ１８はまず選択していない側の映像信号入力ｊに変化があるか否か、具体的には画像データ中の一部、例えば画像データ左上端の縦１６画素×横１６画素の１ブロックの内容に関して、タイムシフト用メモリ２４でバッファ記憶している内容から経時的な変化があるか否かを判断する（ステップＳ３０１）。
【００３６】
ＰＣ２Ａ，２Ｂから送る映像信号が、プレゼンテーション用の映像信号源である場合、例えば、各スライドの一部である左上端の縦１６画素×横１６画素に、例えば、奇数ページのスライドと偶数ページのスライドに異なる色部（マーク等）を配置させるようにすれば、ページ送りする毎に、ＣＰＵ１８は容易に画像の変化を検出することができる。
【００３７】
また、その縦１６画素×横１６画素に、特定の色（マーク等）（特定の情報）が検出された場合、入力切換を行なわないようにすることもできる。このようにすると、見せたくない(入力切換させたくない)プレゼンテーション資料の場合には、その一角を特定の色にしておけば、その他の部分に、たとえ変化（違い）があったとしても無視し、入力切換されなくなる。
【００３８】
ここで変化がないと判断した場合、次にＣＰＵ１８は、選択していない側の音声信号入力ｊに変化があるか否かを、タイムシフト用メモリ２４でバッファ記憶している音声データの経時的変化の有無から判断する（ステップＳ３０２）。
【００３９】
このステップＳ３０２で音声信号入力ｊの変化もないと判断した場合、ＣＰＵ１８は映像及び音声の双方に変化がないものと判断し（ステップＳ３０３）、以上でこの図４のサブルーチンを抜ける。
【００４０】
一方、上記ステップＳ３０１で選択していない側の映像信号入力ｊに変化があると判断した場合、及び上記ステップＳ３０２で選択していない側の音声信号入力ｊに変化があると判断した場合、ＣＰＵ１８は映像及び音声の少なくとも一方に変化があったものと判断し（ステップＳ３０４）、以上でこの図４のサブルーチンを抜ける。
【００４１】
図３のメインルーチンに戻り、ＣＰＵ１８は選択していない側の入力に変化があったかどうかを判断する（ステップＳ１１３）。
【００４２】
ここで選択していない側の入力に変化がなかったと判断した場合に、ＣＰＵ１８はその時点での選択状態を維持すべく、再び上記ステップＳ１１１からの処理に戻って、投影動作及び選択していない側の変化の検出を続行する。
【００４３】
また上記ステップＳ１１３で選択していない側の入力に変化があったと判断した場合、ＣＰＵ１８は上記投影を行なう映像信号側を表す変数ｉと、投影しない映像信号側を表す変数ｊの内容を入れ換えるように設定した上で（ステップＳ１１４）、上記ステップＳ１１０からの処理に戻り、今度はそれまで選択していなかった側の入力に基づく投影動作を実行する。
【００４４】
この入力信号の切換動作時以後、ＣＰＵ１８は上記タイムシフト用メモリ２４で遅延記憶している画像データに伴う投影と音声信号による放音とを行なうものとしても良い。
【００４５】
このように時間的に遅延した投影動作を実行することで、入力信号の切換タイミングから所定時間遡ったタイムシフト再生の状態となるため、それまで選択されていなかった側の入力が変化したタイミングより前のタイミングから画像の投影が遅延して実行されることとなり、投影内容が変化するその瞬間を投影内容から視認できる。
【００４６】
この機能は、映像信号の着目部に一定時間変化がなく、音声信号に遅れて変化が検出されたような入力信号を選択して出力する際に有効となる。
【００４７】
また上記ステップＳ１０５でデフォルト画面の投影を行なっている状態からタイムアウトとなったと判断した場合、上記ステップＳ１１１で投影動作の停止を指示するイベントがあったと判断した場合に、上記ＣＰＵ１８は光源部１５での発光停止とそれに伴うクールダウン処理を含む、投影動作の終了時に必要な処理を実行した上で（ステップＳ１１５）、以上でこの図３の処理を終了する。
【００４８】
以上詳述した如く本実施形態によれば、複数台の映像出力機器からそれぞれ送られてくる映像信号中、内容に変化が生じた場合を検出することで、有効なものを自動で判断して選択切換することが可能となる。
【００４９】
加えて上記実施形態では、映像信号源がプレゼンテーション用のドキュメントデータから生成した映像信号を生成する映像信号を入力するものとしたので、映像の変化の度合いを判断することが容易であると共に、不要な切換操作などのプレゼンテーション中の説明者に係る負担を軽減することができ、加えて切換操作に要する煩雑な画面情報等を投影しないで済む。
【００５０】
また上記実施形態では、上記図４で詳述した如く、その時点で設定されていない側の入力の変化のみを検出するものとしたので、ＣＰＵ１８に係る負担を軽減し、省電力化を図ることができる。
【００５１】
特に上記実施形態では、映像と対応付けられている音声信号の変化も合わせて検出し、変化があったと判断した場合に映像の切換えを行なうものとしたので、入力される信号を総合的に判断して、変化を正確に検出できる。
【００５２】
加えて、上記入力系統の切換えに際して、対応付けて入力されている映像と音声を共に切り換えるものとしたので、投影内容の視聴者に違和感のない切換動作が実現できる。
【００５３】
さらに上記実施形態では、常に直前の一定時間分の映像及び音声をバッファ記憶するタイムシフト用メモリ２４を遅延素子として設け、入力系統の切換え時にはタイムシフト用メモリ２４の記憶内容を用いて一定時間分遅延した内容を投影するものとしたので、それまで選択していなかった入力側に変化を生じた冒頭部分を欠けることなく投影できる。
【００５４】
また上記実施形態では、映像信号の変化の検出に際して、その一部画素範囲のみを用いて経時的な変化を検出するものとしたので、ＣＰＵ１８による検出に係る付加を大幅に軽減し、省電力化を図ることができる。
【００５５】
なお上記実施形態では、ＰＣ２Ａ，２Ｂからの各映像信号を入力するプロジェクタ１が切換動作を行なうものとして説明したが、本発明はこれに限らず、複数の映像信号の入力と選択切換を行なう専用の装置（入力切換器）で実現するようにしても良い。
【００５６】
図５は、そのような本発明の他の実施形態に係る投影システム全体の設置環境を示す図である。ここでは、ＰＣ２Ａ，２Ｂからの各ケーブルＶＣ１，ＡＣ１，ＶＣ２，ＡＣ２がオートセレクタ（入力切換器）３の入力端に接続され、このオートセレクタ３の出力端とプロジェクタ１とがＲＧＢケーブルＶＣ３及びオーディオケーブルＡＣ３で接続されている。
【００５７】
すなわち、上記信号の変化の検出及び切換動作をプロジェクタ１とは別体のオートセレクタ３で実行するものとしており、プロジェクタ１自体は１系統の映像及び音声を入力する構成としている。
【００５８】
このようなオートセレクタ３を用いることにより、既存のプロジェクタを用いても上記実施形態と同様の動作を実現することができるため、既にプロジェクタを所有しているユーザ等でも、プロジェクタを買い換えることなく、プレゼンテーション等に使用できる。
【００５９】
なお上記実施形態は、説明を容易にするために、プロジェクタ１（またはオートセレクタ３）が２台のＰＣ２Ａ，２Ｂからの映像信号を入力し、選択して投影する場合について例示したが、本発明は映像信号の入力系統数を２に限定するものではなく、３系統以上の映像信号に対しても同様に対応可能であることは勿論である。
【００６０】
さらに上記実施形態では、映像信号を入力する側のプロジェクタ１（またはオートセレクタ３）が信号の変化を検出して切換動作を行なう場合について説明したが、映像信号を出力する側のＰＣ等の機器が、自身が出力する映像信号に対応して、内容が変化するので当該映像信号を選択して切換えるように促す映像切換信号を受け手側のプロジェクタ１等に通知するように構成することも考えられる。
【００６１】
このような構成とした場合、受け手側のプロジェクタ１等の負担を大幅に軽減し、省電力化を図りつつ、複数の映像を自動で切り換える投影システムを構築できる。
【００６２】
その際、上記映像切換信号は、映像信号に重畳してプロジェクタ１等に送信するものとすれば、既存のインタフェースを用いた通知が可能となる。
【００６３】
具体的には、映像信号に重畳する場合、映像信号の有効映像信号期間を外れた、同期信号期間等に重畳するものとすれば、映像信号に影響を与えることなく、映像信号の切換えを促す通知が実現できる。
【００６４】
一方で、あえて映像信号とは別系統の独立した信号によりプロジェクタ１等に上記映像切換信号を通知するような構成を採っても良く、そのような構成とすることで確実にプロジェクタ１等に通知できる。
【００６５】
上記各実施形態では、タイムシフト機能を設けるようにしたが、遡って再生する時間を自由に設定できるようにすることもできる。
【００６６】
また、タイムシフト機能を用いない（遡って再生する時間を０として）切換再生するようにしてもよいことは言うまでもない。
【００６７】
また、上記各実施形態では、一部画素範囲のみを監視して変化を検出するようにしたが、全範囲を監視して確実に変化を検出するようにしてもよいことは言うまでもない。
【００６８】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００６９】
以下に、本願出願の当初の特許請求の範囲に記載された発明を付記する。  
請求項１記載の発明は、投影装置に供給する映像信号を出力する投影制御装置であって、複数の映像信号源からの映像信号を入力する映像入力手段と、上記映像入力手段で入力した上記複数の映像信号の変化を検出する映像変化検出手段と、上記映像変化検出手段で変化を検出した映像信号を選択する選択手段と、上記選択手段で選択した映像信号を上記投影装置に出力する映像出力手段とを備えることを特徴とする。
【００７０】
請求項２記載の発明は、上記請求項１記載の発明において、上記複数の映像信号源からの映像信号は、プレゼンテーション用の映像信号であることを特徴とする。
【００７１】
請求項３記載の発明は、上記請求項１または２記載の発明において、上記映像変化検出手段は、上記選択手段で選択していない映像信号の変化を検出することを特徴とする。
【００７２】
請求項４記載の発明は、上記請求項１乃至３いずれか記載の発明において、複数の音声信号を入力する音声入力手段と、上記音声入力手段で入力した上記複数の音声信号の変化を検出する音声変化検出手段とをさらに備え、上記選択手段は、上記音声変化検出手段で変化を検出した音声信号と対応付けられている映像信号を選択することを特徴とする。
【００７３】
請求項５記載の発明は、上記請求項１乃至４いずれか記載の発明において、複数の映像信号源から映像信号と対応付けた音声信号を入力する音声入力手段と、音声信号を出力する音声出力手段とをさらに備え、上記選択手段は、上記映像変化検出手段で変化を検出した音声信号と対応付けられている音声信号を選択して上記音声出力手段で出力させることを特徴とする。
【００７４】
請求項６記載の発明は、上記請求項１乃至５いずれか記載の発明において、上記映像入力手段で入力した上記複数の映像信号を少なくとも予め設定した時間分だけ循環的に更新しながら記憶する記憶手段をさらに備え、上記出力手段は、上記選択手段で選択した映像信号を上記記憶手段から読出して出力させることを特徴とする。
【００７５】
請求項７記載の発明は、上記請求項１乃至６いずれか記載の発明において、上記映像変化検出手段は、上記映像入力手段で入力した上記複数の映像信号の一部の情報に基づいて変化を検出することを特徴とする。
【００７６】
請求項８記載の発明は、上記請求項１乃至７いずれか記載の発明において、上記映像変化検出手段は、上記映像入力手段で入力した上記複数の映像信号の一部に特定の情報があるか否かを検出し、上記選択手段は、上記映像変化検出手段により特定の情報が検出された場合は、上記一部以外に変化が検出されたとしても、上記映像信号を選択しないことを特徴とする。
【００７７】
請求項９記載の発明は、複数の映像信号源からの映像信号を入力する映像入力手段と、上記映像入力手段で入力した上記複数の映像信号の変化を検出する映像変化検出手段と、上記映像変化検出手段で変化を検出した映像信号を選択する選択手段と、上記選択手段で選択した映像信号を投影する投影手段とを備えることを特徴とする。
【００７８】
請求項１０記載の発明は、映像信号を出力する映像出力装置であって、上記映像信号が変化する際に、信号の変化を通知するための映像切換信号を出力する変化通知手段を備えることを特徴とする。
【００７９】
請求項１１記載の発明は、上記請求項１０記載の発明において、上記映像切換信号を上記映像信号に重畳する重畳手段をさらに備え、上記変化通知手段は、上記映像切換信号を重畳した上記映像信号により映像信号の変化を通知することを特徴とする。
【００８０】
請求項１２記載の発明は、上記請求項１１記載の発明において、上記重畳手段は、上記映像切換信号を上記映像信号の有効映像信号期間外に重畳することを特徴とする。
【００８１】
請求項１３記載の発明は、上記請求項１０記載の発明において、上記変化通知手段は、上記映像切換信号を上記映像信号と別系統の信号により出力することを特徴とする。
【００８２】
請求項１４記載の発明は、それぞれ映像信号を出力する複数の映像出力装置と、上記複数の映像出力装置が出力する複数の映像信号から１つを選択して投影装置に出力する投影制御装置とを含んだ投影制御システムであって、上記複数の映像出力装置はそれぞれ、上記映像信号が変化する際に、信号の変化を通知するための映像切換信号を出力する変化通知手段を備え、上記投影制御装置は、複数の映像信号源からの映像信号を入力する映像入力手段と、上記映像切換信号を受信する通知受信手段と、上記通知受信手段で受信した映像切換信号に対応する映像信号を選択する選択手段と、上記選択手段で選択した映像信号を出力する映像出力手段とを備えることを特徴とする。
【符号の説明】
【００８３】
１…プロジェクタ、２Ａ，２Ｂ…パーソナルコンピュータ（ＰＣ）、３…オートセレクタ、１１…入力部、１２…画像変換部、１３…投影処理部、１４…マイクロミラー素子、１５…光源部、１６…光源部、１７…投影レンズ部、１８…ＣＰＵ、１９…メインメモリ、２０…プログラムメモリ、２１…操作部、２２…音声処理部、２３…スピーカ部、２４…タイムシフト用メモリ、ＡＣ１〜ＡＣ３…オーディオケーブル、ＳＢ…システムバス、ＳＣ…スクリーン、ＶＣ１〜ＶＣ３…ＲＧＢケーブル。
【図１】
2014187533.tif 000003
【図２】
2014187533.tif 000004
【図３】
2014187533.tif 000005
【図４】
2014187533.tif 000006
【図５】
2014187533.tif 000007